(57)【要約】【課題】ヘッドスペースの膨張を吸収させるリッド材と、該リッド材を用いた容器を提供すること。【解決手段】フランジ付き容器の開口部を覆い、フランジ（２１）と熱融着されるリッド材（１０）であって、このリッド材は中央部分が周縁部分（１２）より凹んだ凹部（１１）を形成している。リッド材（１０）はアルミニウム箔（１）を主材料とし、最内層にシーラント層（２）が形成された構成からなる。リッド材（１０）とフランジ付き容器（２０）とはヒートシール法等の公知のシール方法を使用して密封シールする。【選択図】図１
2004231246.tif 000002
【特許請求の範囲】
【請求項１】
フランジ付き容器の開口部を覆い、フランジと熱融着されるリッド材であって、前記リッド材は、中央部分が周縁部分より凹んだ凹部を形成していることを特徴とする、カップ用リッド材。
【請求項２】
前記リッド材は、アルミニウム箔を主材料とした構成からなることを特徴とする、請求項１記載のカップ用リッド材。
【請求項３】
前記リッド材は、最内層にシーラント層が形成されていることを特徴とする、請求項１又は２記載のカップ用リッド材。
【請求項４】
請求項１、２又は３記載のリッド材を用いて密封シールした容器。
【発明の詳細な説明】
【０００１】
【発明の属する技術分野】
本発明は、カップ用リッド材とこのリッド材を密封シールした容器に関するものであり、特には、ホットウォーマー保存に耐えられるカップ用リッド材とこのリッド材を密封シールした容器に関するものである。
【０００２】
【従来の技術】
現在、口径が６０〜７０ｍｍ程度の広口のフランジ付きプラスチックカップにコーヒー等の飲料を充填し、開口部をアルミニウム箔を主材料とし、フレキシブルでフラットなリッド材で密封シールしたプラスチックカップ商品（カップ飲料）が流通している。
【０００３】
このカップ飲料が冷やした状態で流通している場合には問題ないが、この商品をホットウォーマーなどで加温すると、容器内のヘッドスペースの空気膨張と充填されている飲料の液膨張により、リッド材が押し上げられてリッド材が剥がれる現象が生じる。特に空気膨張の影響が大きく、ヘッドスペースを無くするために満充填した場合には、リッド材を開封する際に、飲料をこぼしてしまう等の危険性がある（図４、図５参照）。
【０００４】
【発明が解決しようとする課題】
本発明は、カップ飲料をホットウォーマー等で加温して使用する際に発生する以上のような問題点に鑑みてなされたもので、ヘッドスペースの膨張を吸収させるリッド材と、該リッド材を用いた容器を提供することを課題とする。
【０００５】
【課題を解決するための手段】
本発明の請求項１の発明は、フランジ付き容器の開口部を覆い、フランジと熱融着されるリッド材であって、前記リッド材は、中央部分が周縁部分より凹んだ凹部を形成していることを特徴とする、カップ用リッド材である。
【０００６】
このように請求項１記載の発明によれば、中央部分が周縁部分より凹んだ凹部を形成しているリッド材を使用しているので、ヘッドスペース容積が減少し、容器を温める際の空気膨張によるリッド材の押し上げが軽減でき、リッド材は剥がれにくくなる。
また、空気膨張によってリッド材が押し上げられても、凹んでいる分フランジ部分より上に押し上げられることがなくなり、剥離を抑えることができる。
【０００７】
また、請求項２の発明は、請求項１の発明において、前記リッド材は、アルミニウム箔を主材料とした構成からなることを特徴とする、カップ用リッド材である。
【０００８】
このように請求項２記載の発明によれば、アルミニウム箔を主材料としたリッド材を使用しているので、絞り成形加工が容易にでき、リッド材を簡単に加工することができる。
【０００９】
また、請求項３の発明は、請求項１又は２の発明において、前記リッド材は、最内層にシーラント層が形成されていることを特徴とする、カップ用リッド材である。
【００１０】
このように請求項３記載の発明によれば、リッド材は最内層にシーラント層が形成された構成からなるので、容器とリッド材との密封シールを容易に行うことができる。
【００１１】
また、請求項４の発明は、請求項１、２又は３記載のリッド材を用いて密封シールした容器である。
【００１２】
【発明の実施の形態】
本発明のカップ用リッド材と該リッド材で密封シールした容器を一実施形態に基づいて以下に詳細に説明する。
本発明のカップ用リッド材は、例えば図１に示すように、フランジ付き容器の開口部を覆い、フランジ（２１）と熱融着されるリッド材（１０）であって、中央部分が周縁部分（１２）より凹んだ凹部（１１）を形成した構造を有している。
【００１３】
リッド材（１０）を構成する材料は、アルミニウム箔（１）を主材料とし、最内層にシーラント層（２）が形成されている。
アルミニウム箔（１）を主材料とするので、絞り成形することが可能で、容易に中央に凹部（１１）を形成させることができる。
【００１４】
また、シーラント層（２）が形成されていることにより、容器（２０）とリッド材（１０）との密封シールを容易に行うことができる。
【００１５】
シーラント層（２）は、容器（２０）のフランジ（２１）と密封シール性を有しており、かつ、イージーピール性があれば良く、変性ポリオレフィン系樹脂、ポリオレフィン系ポリマーアロイ等の一般的に公知の樹脂がフィルム状態で、あるいは、溶融状態にて塗布した状態で好ましく使用できる。
【００１６】
このようにして作製したリッド材（１０）を、コーヒーやココア等の飲料（３０）を充填した容器（２０）の開口部に被せて、リッド材の周縁を容器のフランジ（２１）と密封シールして飲料入りのカップ飲料とする。
【００１７】
使用する容器（２０）は開口部周縁にフランジ（２１）の形成されたものが良く、一般的にはポリプロピレンなどの剛性を有する熱可塑性樹脂を射出成形して作製する。
【００１８】
リッド材（１０）の中央部分には凹部（１１）が形成されているので、容器内の飲料（３０）を入れた後の飲料とリッド材との間の上部の空間〜ヘッドスペース（３１）は、従来の凹部を形成しないフラットなリッド材に比較して少なく、ホットウォーマー等を使用して加温してもヘッドスペースの空気膨張が少なく、リッド材が押し上げられてリッド材が剥がれてしまう危険性は少ない（図２、図３参照）。
【００１９】
【実施例】
以下実施例により本発明を詳細に説明する。
〈実施例１〉
厚さ４０μｍのアルミニウム箔（１）にポリプロピレン樹脂系のイージーピール材を溶融押し出し法によりフィルム状に塗布してシーラント層（２）を形成させ、リッド材用シートとした。なお、シーラント層の厚さは７０μｍである。
このリッド材シートからシーラント層が内側になるようにして、口径が６５ｍｍ、絞り深さが６ｍｍの実施例１のリッド材（１０）を絞り成形法により作製した。
【００２０】
別に、ポリプロピレン樹脂を用いて射出成形法により口径が６５ｍｍ、容量が２２０ミリリットルのフランジ付きの容器（２０）を作製した。
【００２１】
このプラスチック容器にヘッドスペースが２０ミリリットルになるように水を充填し（フランジから液面までの距離は１０ｍｍ）、上述のリッド材を被せ、周縁部をヒートシール法等の公知のシール方法を用いて密封シールして実施例１の飲料入り容器とした。
【００２２】
〈比較例１〉
実施例１で使用した、アルミニウム箔（４０μｍ）／ポリプロピレン樹脂系のイージーピール材（７０μｍ）構成からなるリッド材用シートを絞り成形せずにフラットな状態で口径が６５ｍｍのリッド材に打ち抜き、比較例１のリッド材とした。
【００２３】
実施例１で使用したプラスチック容器にヘッドスペースが２０ミリリットルになるように水を充填し（フランジから液面までの距離は１０ｍｍ）、上述のリッド材を被せ、周縁部を実施例１と同様のシール方法により密封シールして比較例１の飲料入り容器とした。
【００２４】
このようにして作製した実施例１種類、比較例１種類、合計２種類の飲料入り容器を８０°Ｃの恒温室に２週間保管し、その後リッド材の剥がれた数を計測した（ｎ＝２０）。その結果を表１に示す。
○  ‥  リッド材の剥がれなし
×  ‥  リッド材の剥がれあり
【００２５】
【表１】
2004231246.tif 000003
【００２６】
このように実施例１のリッド材は比較例１のリッド材に比較してヘッドスペース容積が減少し、高温保存下での空気膨張によるリッド材押し上げが軽減でき、リッド材が剥がれにくくなる。
【００２７】
【発明の効果】
上記のように、６０〜７０ｍｍ程度の広口飲料カップのリッド材において、絞り成形後、容器と密封シールすることで、ヘッドスペース容積が減少し、高温保存下での空気膨張によるリッド材押し上げが軽減でき、リッド材が剥がれづらくなる。また、空気膨張緒によりリッド材が押し上げられても、絞っている分、フランジレベルより上にリッド材が押し上げられなくなり、リッド剥離を抑えることができる。
【図面の簡単な説明】
【図１】本発明のカップ用蓋材の一実施例を示す、断面説明図である。
【図２】図１のカップ用蓋材で密封シールした容器の一実施例を示す、断面説明図である。
【図３】図２の容器を加温した状態の一実施例を示す、断面説明図である。
【図４】従来のカップ飲料の一例を示す、断面説明図である。
【図５】図４のカップ飲料を加温した状態の一例を示す、断面説明図である。
【符号の説明】
１‥‥アルミニウム箔
２‥‥シーラント層
１０‥‥リッド材
１１‥‥凹部
１２‥‥周縁部分
２０‥‥容器
２１‥‥フランジ
３０‥‥飲料
３１‥‥ヘッドスペース
【図１】
2004231246.tif 000004
【図２】
2004231246.tif 000005
【図３】
2004231246.tif 000006
【図４】
2004231246.tif 000007
【図５】
2004231246.tif 000008